(57)【要約】【課題】より高いセキュリティ機能を有する人孔蓋の二重ロック機構を提供する。【解決手段】人孔蓋１０の二重ロック機構は、水が貯溜される貯水槽の貯水空間へ繋がる開口部１１を有する枠体部１と、前記枠体部１に開閉自在に取り付けられ、前記開口部１１を覆う蓋部２と、を有するものであって、前記蓋部２の外側に配置され、前記蓋部２を施解錠可能に設けられる外部ロック機構３と、前記蓋部２の内側に配置され、前記蓋部２を施解錠可能に設けられる内部ロック機構４と、を備える。【選択図】図１
0003201931.tif 000002
【実用新案登録請求の範囲】
【請求項１】
水が貯溜される貯水槽の貯水空間へ繋がる開口部を有する枠体部と、前記枠体部に開閉自在に取り付けられ、前記開口部を覆う蓋部と、を有する人孔蓋の二重ロック機構であって、
前記蓋部の外側に配置され、前記蓋部を施解錠可能に設けられる外部ロック機構と、
前記蓋部の内側に配置され、前記蓋部を施解錠可能に設けられる内部ロック機構と、
を備えることを特徴とする人孔蓋の二重ロック機構。
【請求項２】
前記内部ロック機構は、前記開口部よりも外側の位置に配置されることを特徴とする請求項１に記載の人孔蓋の二重ロック機構。
【請求項３】
前記開口部の周囲には、前記枠体部を前記貯水槽に取付固定するための螺合部材が挿入される螺合孔が形成されたフランジ部を有し、
前記螺合孔は、前記蓋部によって開閉自在に覆われて構成されることを特徴とする請求項１または２に記載の人孔蓋の二重ロック機構。
【考案の詳細な説明】
【技術分野】
【０００１】
本考案は、貯水槽などの給排水設備に用いられる人孔蓋の二重ロック機構に関する。
【背景技術】
【０００２】
従来、地上などに設けられた受水槽や、高層ビルなどの屋上などに設けられた高置水槽などの水を貯溜することができる貯水空間を有する貯水槽には、作業者が点検や清掃などのために貯水空間へ入ることができるよう、貯水空間へ繋がる孔部が形成され、当該孔部は開閉可能に覆う人孔蓋を設けられることが知られている。
【０００３】
特許文献１には、マンホール口（開口部）に被せられた蓋体と、スライド金具及びスライドボルトと、蓋体の外側に設けられた、蓋体を施錠可能な施錠ボルト及び施錠金具（ロック機構）と、を備え、蓋体がスライド可能に構成された貯液槽（貯水槽）のマンホール構造が開示されている。
【先行技術文献】
【特許文献】
【０００４】
【特許文献１】特開平１１−２２２２９５
【考案の概要】
【考案が解決しようとする課題】
【０００５】
しかしながら、特許文献１のようなマンホール構造では、蓋体の外側に設けられたロック機構が不正に破壊などされるだけで容易に蓋体の開閉が可能となってしまうため、より高いセキュリティ機能を有するものが求められていた。
【課題を解決するための手段】
【０００６】
本考案は、上述した技術背景に鑑み、より高いセキュリティ機能を有する人孔蓋の二重ロック機構の提供を目的とする。
【０００７】
即ち、本考案は下記［１］〜［３］に記載の構成を有する。
【０００８】
［１］  水が貯溜される貯水槽の貯水空間へ繋がる開口部を有する枠体部と、前記枠体部に開閉自在に取り付けられ、前記開口部を覆う蓋部と、を有する人孔蓋の二重ロック機構であって、
前記蓋部の外側に配置され、前記蓋部を施解錠可能に設けられる外部ロック機構と、
前記蓋部の内側に配置され、前記蓋部を施解錠可能に設けられる内部ロック機構と、
を備えることを特徴とする人孔蓋の二重ロック機構。
【０００９】
［２］  前記内部ロック機構は、前記開口部よりも外側の位置に配置されることを特徴とする前項１に記載の人孔蓋の二重ロック機構。
【００１０】
［３］  前記開口部の周囲には、前記枠体部を前記貯水槽に取付固定するための螺合部材が挿入される螺合孔が形成されたフランジ部を有し、
前記螺合孔は、前記蓋部によって開閉自在に覆われて構成されることを特徴とする前項１または２に記載の人孔蓋の二重ロック機構。
【考案の効果】
【００１１】
上記［１］に記載の考案によれば、水が貯溜される貯水槽の貯水空間へ繋がる開口部を有する枠体部と、枠体部に開閉自在に取り付けられ、開口部を覆う蓋部と、を有する人孔蓋の二重ロック機構であって、蓋部の外側に配置され、蓋部を施解錠可能に設けられる外部ロック機構と、蓋部の内側に配置され、蓋部を施解錠可能に設けられる内部ロック機構と、を備えるので、蓋部を外側からロックする外部ロック機構と、蓋部を内側からロックする内部ロック機構と、を有するため、蓋部が二重にロックされることにより、外部ロック機構が不正に開錠されたとしても、内部ロック機構が蓋部を施錠したままであるため、容易に人孔蓋の開錠が許容されることがなく、高いセキュリティ機能を有する。
【００１２】
上記［２］に記載の考案によれば、内部ロック機構は、開口部よりも外側の位置に配置されるので、内部ロック機構が貯水空間へ出入りする作業者に引っ掛かるなど、障害になることがないため、作業性を損なうことがない。
【００１３】
上記［３］に記載の考案によれば、開口部の周囲には、枠体部を貯水槽に取付固定するための螺合部材が挿入される螺合孔が形成されたフランジ部を有し、螺合孔は、蓋部によって開閉自在に覆われて構成されるので、蓋部が閉じられて施錠されると、人孔蓋の外部から螺合孔に螺合される螺合部材などが見えない状態に取り付けられるため、工具などを使用して人孔蓋ごと取り外されるなどの虞がない。
【図面の簡単な説明】
【００１４】
【図１】本考案に係る人孔蓋の概略図である。
【図２】本考案の人孔蓋について説明するための説明図である。
【図３】本考案の人孔蓋の施解錠方法について説明するための説明図である。
【図４】本考案の人孔蓋の施解錠方法について説明するための説明図である。
【図５】本考案の人孔蓋の施解錠方法について説明するための説明図である。
【考案を実施するための形態】
【００１５】
以下、図面を参照して、本考案の実施形態について説明する。
【００１６】
図１は、人孔蓋１０の概略図、図２は、人孔蓋１０について説明するための説明図、図３〜５は、人孔蓋１０の施解錠方法について説明するための説明図である。
【００１７】
以降では、図１に示す人孔蓋１０の上下を上下、左右を左右とし、紙面に対し垂直な方向を前後方向として説明する。
【００１８】
また、人孔蓋１０の前側は、人孔蓋１０を使用する際に作業者側（手前側）となる側であり、人孔蓋１０の後側は、人孔蓋１０を使用する際に作業者から離れた側（奥側）となるものとして説明する。
【００１９】
図１〜５に基づいて、貯水槽などの給排水設備に用いられる人孔蓋１０の二重ロック機構の一例について説明する。
【００２０】
以降では、貯水槽（図示なし）に取り付けられる人孔蓋１０について説明する。
【００２１】
人孔蓋１０には、容易に開閉されることなどがないようにロック機構が設けられており、本考案のロック機構は、外部ロック機構３及び内部ロック機構４を備えた二重ロック機構となっている。
【００２２】
貯水槽は、水道管などから供給された水が貯溜される貯水空間を有する所謂タンクであり、貯水空間への出入口である通路口と、通路口から貯水空間へと続く通路である通路部と、を備える。
【００２３】
通路部は、作業者が点検や清掃などを行う際に使用され、例えば、人が貯水空間へ出入り可能な程度の寸法に設定された角筒状に形成されている。
【００２４】
通路口は、通路部と同様の方形状に形成され、貯水槽の外面に設けられている。
【００２５】
人孔蓋１０は、ステンレス鋼や鋼材などの金属からなり、角型の箱状に形成されて、貯水槽の通路口に覆い被せられるように取り付けられる。
【００２６】
人孔蓋１０には、この例では、貯水槽の外面にボルトなどを介して取り付け固定される枠体部としての取付固定部１と、取付固定部１の上部に被せられる蓋部２と、を備える。
【００２７】
人孔蓋１０は、後側板１ｃに蝶番などの連結部１００を有し、取付固定部１及び蓋部２が連結部１００を介して連結されることにより、蓋部２が開閉可能に構成されている。
【００２８】
図２（ａ）は、上側から見た際の取付固定部１を表し、図２（ｂ）は、開放状態の蓋部２を内側から見たものを表している。
【００２９】
取付固定部１は、四周側板１ａ，１ｂ，１ｃ，１ｄ及びフランジ部１ｅを有し、上部が開口した箱状に形成され、フランジ部１ｅの４隅には貯水槽の外面に取り付けるためのアンカーボルトなどの螺合部材を挿入可能な螺合孔１２がそれぞれ形成されている。
【００３０】
螺合孔１２は、蓋部２を閉じた状態で、蓋部２の内側に位置するようフランジ部１ｅに形成されている。
【００３１】
取付固定部１のフランジ部１ｅには、その略中央に、貯水槽の通路口と同等の寸法及び形状（この例では、方形状）に設定された開口部１１が設けられている。
【００３２】
人孔蓋１０は、作業者が開口部１１から通路部を通って貯水空間へ入ることができるよう、開口部１１を通路口と位置合わせして取り付けられる。
【００３３】
開口部１１の周囲には、取付固定部１を貯水槽に取付固定するための螺合部材が挿入される螺合孔１２が形成されたフランジ部１ｅを有し、螺合孔１２は、蓋部２によって開閉自在に覆われて構成されるので、蓋部２が閉じられて施錠されると、人孔蓋１０の外部から螺合孔１２に螺合される螺合部材などが見えない状態に取り付けられるため、工具などを使用して人孔蓋１０ごと取り外されるなどの虞がない。
【００３４】
蓋部２は、四周側板２ａ，２ｂ，２ｃ，２ｄ及び天板２ｅを有し、底部が開口した箱状に形成され、取付固定部１の上面に覆い被せることができるよう取付固定部１の形状よりも僅かだけ大きい寸法に設定されている。
【００３５】
蓋部２は、連結部１００を介して、取付固定部１の上部に被せられた状態から持ち上げられる、或いは取付固定部１の上方に位置した状態から取付固定部１の上部に被せるように引き下ろされるなどして開閉可能に構成されている。
【００３６】
蓋部２は、貯水槽の通路口に覆い被せられるように配置されていることにより、貯水空間への出入口を開閉自在に覆うよう構成されている。
【００３７】
蓋部２は、前側板２ａに掛止部２１が設けられ、その内側に係合部２２が設けられている。
【００３８】
掛止部２１は、板状片からなり、蓋部２の前側板２ａの外面から離間する方向へ突出するように、蓋部２の前側板２ａの左右幅方向の略中央部に形成されている。
【００３９】
係合部２２は、その中ほどに係合孔２２１が形成されており、後に詳述する外部ロック機構３の一部を構成している。
【００４０】
係合部２２は、例えば、蓋部２の内面に固定的に設けられた板状片からなり、蓋部２の天板２ｅの内側の面から離間する方向へ突出するように形成されている。
【００４１】
係合部２２は、その先端部に係合孔２２１が形成されており、後に詳述する内部ロック機構４の一部を構成している。
【００４２】
係合部２２は、蓋部２が取付固定部１に被せられた状態で、貯水空間への出入口より外側に位置するよう配置されている。
【００４３】
この例では、係合部２２は、開口部１１と前側板２ａとの間に配置されるよう構成されている。
【００４４】
外部ロック機構３は、取付固定部１の前側板１ａに蝶番などの掛金部３１を有し、掛金部３１は、人孔蓋１０の左右幅方向の略中央部に配置されている。
【００４５】
掛金部３１は、上下に平行して配置された板状体からなる支持部３２によって、取付固定部１に支持固定されている。
【００４６】
掛金部３１は、回動軸３１ｂと、回動軸３１ｂに連結された２つの板状部３１ａ，３１ｃ（下板状部３１ａ及び上板状部３１ｃ）と、を備えている。
【００４７】
下板状部３１ａは、取付固定部１の前側板１ａの前方で支持部３２に固定的に取り付けられ、上板状部３１ｃは、回動軸３１ｂを介して回動するようそれぞれ構成されている。
【００４８】
上板状部３１ｃは、例えば、下板状部３１ａに当接する位置から、被せられた蓋部２の前側板２ａに当接する位置まで、人孔蓋１０の前側板１ａ，２ａ前方の約１８０度の範囲で回動する。
【００４９】
上板状部３１ｃには、取付固定部１の前側板１ａの左右幅方向略中央部に上下方向に延びる溝部３３が形成されている。
【００５０】
上板状部３１ｃは、上板状部３１ｃが蓋部２の前側板２ａに近接するよう上方に回動されると、蓋部２に設けられた掛止部２１に溝部３３が嵌まるよう構成されている。
【００５１】
外部ロック機構３は、溝部３３が掛止部２１に嵌められた状態で、掛止孔２１１に南京錠やダイヤル錠などの錠前５が取り付けられることにより蓋部２が施錠され、錠前５が掛止孔２１１から取り外されることによって蓋部２が解錠される。
【００５２】
このように、外部ロック機構３は、人孔蓋１０の外側部において蓋部２の施解錠をするように構成されている。
【００５３】
内部ロック機構４は、取付固定部１とは別体に形成された棒状の操作部４３と、取付固定部１の内側に設けられた筐体部４１及び筒部４２と、を備える。
【００５４】
筐体部４１及び筒部４２は、出入口から貯水空間へ出入する作業者に引っ掛かるなどして邪魔にならないように、開口部１１よりも外側の位置に配置されている。
【００５５】
内部ロック機構４は、開口部１１の縁部から垂直方向に直線上に延びる空間を除いた箇所に配置されることが好ましく、この例では、取付固定部１のフランジ部１ｅに設けられた開口部１１と前側板１ａとの間に配置されている。
【００５６】
内部ロック機構４は、開口部１１よりも外側の位置に配置されるので、内部ロック機構４が貯水空間へ出入りする作業者に引っ掛かるなど、障害になることがないため、作業性を損なうことがない。
【００５７】
操作部４３は、ステンレス鋼や鋼材などの金属で形成され、筒部４２に挿入される棹部４３１と、操作時の持ち手となる把手部４３３と、を備える。
【００５８】
棹部４３１は、略円柱状に形成され、筒部４２の全長よりも長い寸法に形成されている。
【００５９】
棹部４３１は、例えば、棹部４３１の径寸法が２段階で変化して形成されており、先端部から中間部までの径寸法と比較して、中間部から後端部の径寸法が先端部から中間部までよりも径大に形成されている。
【００６０】
棹部４３１の後端部（筒部４２に挿入されない側の端部）には、握り易い寸法に形成された方形状の部材が固着され、持ち手となる把手部４３３として設けられ、棹部４３１の先端部には、凸部が形成されてなる嵌合凸部４３２が設けられている。
【００６１】
尚、把手部４３３は、ここで述べた形状に限定されず、作業者が掴んで操作部４３を操作させ易い形状に形成されるとよく、また、操作部４３に把手部４３３が設けられない構成であっても良い。
【００６２】
嵌合凸部４３２は、棹部４３１の径寸法よりも小さい寸法に形成されており、例えば、棹部４３１の先端部の平坦な面に五角形状の凸が形成されてなる。
【００６３】
嵌合凸部４３２は、棹部４３１が筒部４２に挿入されると、例えば、嵌合凸部４３２と同一の形状に刳られ、筒部４２の奥端部に形成された嵌合凹部（図示なし）と嵌合するよう構成されている。
【００６４】
内部ロック機構４は、操作部４３に挿入された筒部４２が回転操作されることによって、蓋部２の施解錠がなされるよう構成されている。
【００６５】
筒部４２は、一端部が取付固定部１の外部に突出し、他端部が取付固定部１の内部に設けられた筐体部４１に連結して、左右方向に直線状に延びて形成されている。
【００６６】
筒部４２は、操作部４３が挿入される挿入口４２２を有する外筒部４２２を備える。
【００６７】
詳述すると、外筒部４２２は、挿入口４２２を含む一端部が取付固定部１の外部に設けられ、他端部が筐体部４１の側部に連結されて設けられている。
【００６８】
外筒部４２２は、その内径が操作部４３の最大外径と略同等、或いは操作部４３の最大外径よりも径大に形成されている。
【００６９】
この例では、外筒部４２２の内径は、棹部４３１の最大外径と略同等に設定されている。
【００７０】
外筒部４２２の内側の奥端部（筐体部４１側）には、例えば、蓋部２の施解錠のために、係合突部４２４が設けられ、係合突部４２４が位置する部位である外筒部４２２の奥端部の内周面には、螺旋状の溝が形成されている。
【００７１】
係合突部４２４は円柱状に形成され、その外径寸法が、操作部４３の先端部側の径寸法と略同等、且つ、外筒部４２２の内径寸法と略同等となるよう設定されている。
【００７２】
係合突部４２４は、その外周面に螺旋状の溝が形成されて、当該溝が外筒部４２２の奥端部の内周面に形成された溝と噛み合うように構成されており、外筒部４２２の内部且つ奥端部において人孔蓋１０の左右方向（挿入口４２２を有する側板１ｄ，２ｄに対して直行する方向）で進退可能に設けられている。
【００７３】
係合突部４２４は、その後端部に、操作部４３の先端部の嵌合凸部４３２と嵌合する前述した嵌合凹部が設けられている。
【００７４】
係合突部４２４は、操作部４３の先端部の嵌合凸部４３２が嵌合凹部に嵌合することにより、係合突部４２４の内周面の溝と外筒部４２２の内周面に形成された溝が噛み合って操作部４３の回転操作に伴って回転し、更に、回転しながら外筒部４２２の先端側で人孔蓋１０の左右方向に進退する。
【００７５】
係合突部４２４の先端部には、係合突部４２４と同心の径小な円柱状に形成され、筒部４２の挿入口４２２を有する側板１ｄ，２ｄと対向する側板１ｂ，２ｂの方向に延びる突起部４２４ａを有している。
【００７６】
突起部４２４ａの径寸法は、蓋部２の天板２ｅ内側面の係合部２２の係合孔２２１の径寸法と略同等の寸法に設定されている。
【００７７】
係合突部４２４は、蓋部２が取付固定部１に載置された状態で、筒部４２に挿入された操作部４３の回転操作に連動して徐々に右方向（側板１ｂ，２ｂ方向）へ進出し、操作部４３の回転操作が停止するまで進出すると、係合部２２の係合孔２２１と係合するよう構成されている。
【００７８】
また、操作部４３が逆回転操作されると、係合突部４２４は、操作部４３の回転操作に連動して徐々に左方向（側板１ｄ，２ｄ方向）へ後退するように構成されている。
【００７９】
筒部４２の内部が中空状に形成されていることから、図２に示すように、外筒部４２２は、挿入口４２２に外筒蓋４２３を有する構成であってもよい。
【００８０】
筒部４２が外筒蓋４２３を備えた構成とすることにより、取付固定部１の外側に突出した外筒部４２２の挿入口４２２からゴミなどの異物が入り込まないため好ましい。
【００８１】
筐体部４１は、内部が中空状に形成され、筒部４２が内部空間と連通するように構成されている。
【００８２】
筐体部４１の内部で外筒部４２２の係合突部４２４が進退可能に構成されているため、筐体部４１は、少なくとも係合突部４２４の必要な突出量が確保できる程度の寸法に形成されている。
【００８３】
筐体部４１の上面には、前後方向に長い方形状の孔が形成されてなる窓部４１１が設けられている。
【００８４】
窓部４１１は、蓋部２の係合部２２の寸法よりも若干大きい寸法に設定されており、蓋部２が取付固定部１の上部に被せられると、蓋部２の天板２ｅ内側の面に設けられた係合部２２が窓部４１１に嵌まるよう構成されている。
【００８５】
このような構成であることから、係合部２２のサイズは、少なくとも係合部２２が窓部４１１に嵌まり、その状態で蓋部２が閉められる程度に設定される。
【００８６】
以下では、図３〜５に基づいて、貯水空間へと続く通路口に設けられた人孔蓋１０の二重ロック機構の施錠・解錠方法について説明する。
【００８７】
人孔蓋１０を施錠する場合は、図３の状態から、まず、開いている蓋部２を閉めて、取付固定部１の開口部１１を覆うように蓋をする。
【００８８】
この時、天板２ｅの内側に設けられた係合部２２が、筐体部４１の上部に設けられた窓部４１１に嵌められ、取付固定部１の開口部１１及び螺合孔１２が、蓋部２によって覆われる。
【００８９】
蓋部２を閉じた状態で、筒部４２の挿入口４２２に取り付けられている外筒蓋４２３を取り外し、挿入口４２２から操作部４３を挿し入れる。
【００９０】
この時、操作部４３は、挿入方向に向かって時計回りに回転操作させる。
【００９１】
図４に示すように、操作部４３の先端部に設けられた嵌合凸部４３２が、筒部４２に設けられた嵌合凹部と嵌合すると、操作部４３の回転操作によって、筒部４２の奥端部に設けられた係合突部４２４が回転する。
【００９２】
即ち、不正に操作部４３が用いられるなどした場合であっても、嵌合凸部４３２が、嵌合凹部の形状と一致しない場合には、係合突部４２４が回転することがないため不正に開錠されることがない。
【００９３】
操作部４３の回転に伴って係合突部４２４が進出し、回転が停止するまで操作部４３を回転操作させると、窓部４１１に係合されている係合部２２の係合孔２２１に係合突部４２４の突起部４２４ａが係合された状態となる。
【００９４】
図５に示すように、係合突部４２４の突起部４２４ａが係合部２２の係合孔２２１に係合させると、操作部４３を筒部４２から引き抜く。
【００９５】
この状態では、蓋部２の係合孔２２１と取付固定部１の突起部４２４ａにより係合されているため、蓋部２の開放操作が許容されない。
【００９６】
このようにして、内部ロック機構４により、蓋部２の開閉ができないよう蓋部２の内側で施錠された状態となる。
【００９７】
内部ロック機構４における操作部４３は、所謂、鍵の役割を果たすものである。
【００９８】
既に内部ロック機構４で蓋部２の内側の施錠がなされているが、加えて、蓋部２の外側でも施錠がなされる。
【００９９】
人孔蓋１０の外部に設けられた掛金部３１の上板状部３１ｃを上方に回動させて、上板状部３１ｃに設けられた溝部３３が蓋部２の前側板２ａに設けられた掛止部２１に嵌められる。
【０１００】
掛止部２１に上板状部３１ｃの溝部３３が嵌まった状態で、掛止部２１の掛止孔２１１に錠前５が取り付けられる。
【０１０１】
このようにして、外部ロック機構３により、蓋部２の外側からも蓋部２の開閉ができないよう施錠された二重ロックの状態となる。
【０１０２】
人孔蓋１０を解錠する場合には、上述した施錠する場合と逆の手順を行えばよく、まず、掛止部２１の掛止孔２１１に取り付けられた錠前５が外されて、掛止部２１に嵌められている板状部３１ｃが取り外される。
【０１０３】
このようにして、図５に示すように、外部ロック機構３による蓋部２の解錠がなされた状態となる。
【０１０４】
次に、図４に示すように、筒部４２に取り付けられた外筒蓋４２３を取り外して、挿入口４２２から操作部４３を挿し入れ、挿入口４２２に向かって反時計回り（施錠時と逆回転）に操作部４３を回転操作させる。
【０１０５】
施錠時と同様、操作部４３の先端部の嵌合凸部４３２が筒部４２の嵌合凹部に嵌合すると、操作部４３の回転操作に伴って係合突部４２４が回転しながら後退する。
【０１０６】
施錠時には、係合突部４２４の突起部４２４ａが、筐体部４１の窓部４１１に係合している係合部２２の係合孔２２１に嵌まった状態であったが、操作部４３を施錠時と逆回転方向に回転させることによって、突起部４２４ａが徐々に後退する。
【０１０７】
回転が停止するまで操作部４３が回転操作させられると、筐体部４１の内部に位置している係合部２２の係合孔２２１に係合されていた係合突部４２４の突起部４２４ａの係合孔２２１との係合が解除される。
【０１０８】
図３に示すように、係合突部４２４の突起部４２４ａと係合部２２の係合孔２２１の係合が解除されると、操作部４３を筒部４２から引き抜く。
【０１０９】
蓋部２の係合孔２２１と取付固定部１の突起部４２４ａとの係合が解除されることにより、蓋部２の内側の解錠がなされ、蓋部２の開放操作が許容されるようになる。
【０１１０】
内部ロック機構４による蓋部２の解錠がなされることにより、蓋部２が連結部１００を回転軸として取付固定部１から上方に引き上げられる。
【０１１１】
このようにして、人孔蓋１０の二重ロック機構による施錠及び解錠がなされる。
【０１１２】
尚、上述した人孔蓋１０の二重ロック機構の使用方法で説明したように、施錠する際は、内部ロック機構４の施錠がなされた後に外部ロック機構３で施錠がなされ、解錠する際は、外部ロック機構３が解錠された後に内部ロック機構４の解錠がなされることが最も好ましいが、本発明の施錠・解錠方法はこの順序に限定されるものではなく、適宜対応可能である。
【０１１３】
上述で南京錠のようなロック機構と、操作部などを用いて蓋部の係合部と筒部内の係合突部とを係合させるようなロック機構とが組み合わされた構成で説明したように、内部ロック機構４と外部ロック機構３とで異なる機構が採用された構成とすれば、人孔蓋１０の内側と外側のロック機構の構造がそれぞれ異なることにより、外部ロック機構３が不正に開錠されたとしても、外部ロック機構３の開錠方法と同様の方法では内部ロック機構４を開錠できず、より高いセキュリティ機能を有する構成となるため好ましい。
【０１１４】
上述では、取付固定部１を設けた構成として説明したが、取付固定部１は本考案の必須の構成ではなく、少なくとも、蓋部２、内部ロック機構４及び外部ロック機を備えた構成であればよい。
【０１１５】
例えば、貯水槽の通路口に側板が設けられている場合、通路口を覆う開閉可能な蓋部２が貯水槽の側板に直接取り付けられ、蓋部２の内面に上述した筐体部４１及び筒部４２に相当するものが設けられ、係合部２２に相当するものが、蓋部２を通路口に覆い被せた際に蓋部２の内側に位置するよう貯水槽の側板に設けられて内部ロック機構４が形成され、蓋部２に掛金部３１に相当するものが設けられ、掛止部２１に相当するものが、蓋部２を通路口に覆い被せた際に蓋部２の外側に位置するよう貯水槽の側板に設けられて外部ロック機構３が形成されて構成するなどすればよい。
【０１１６】
また、取付固定部１の構成は上述したものに限定されるものではなく、フランジ部１ｅの形状が異なるものであってもよいし、開口部１１や人孔蓋１０の形状についても、円形に形成されたものであってもよいし、その形状について特に限定されるものではない。
【０１１７】
以上説明したような人孔蓋１０の二重ロック機構は、水が貯溜される貯水槽の貯水空間へ繋がる開口部１１を有する枠体部（取付固定部１）と、枠体部（取付固定部１）に開閉自在に取り付けられ、開口部１１を覆う蓋部２と、を有する人孔蓋１０の二重ロック機構であって、蓋部２の外側に配置され、蓋部２を施解錠可能に設けられる外部ロック機構３と、蓋部２の内側に配置され、蓋部２を施解錠可能に設けられる内部ロック機構４と、を備えるので、蓋部２を外側からロックする外部ロック機構３と、蓋部２を内側からロックする内部ロック機構４と、を有するため、蓋部２が二重にロックされることにより、外部ロック機構３が不正に開錠されたとしても、内部ロック機構４が蓋部２を施錠したままであるため、容易に人孔蓋１０の開錠が許容されることがなく、高いセキュリティ機能を有する。
【０１１８】
以上説明した実施形態は、本考案の一例に過ぎず、本考案の作用効果を奏する範囲において具体的構成などを適宜変更設計できることは言うまでもない。
【産業上の利用可能性】
【０１１９】
本考案は、貯水槽などの給排水設備に用いられる点で、産業上の利用可能性を示す。
【符号の説明】
【０１２０】
１…取付固定部
２…蓋部
３…外部ロック機構
４…内部ロック機構
１０…人孔蓋
１１…開口部
１２…螺合孔
１ｅ…フランジ部
【図１】
0003201931.tif 000003
【図２】
0003201931.tif 000004
【図３】
0003201931.tif 000005
【図４】
0003201931.tif 000006
【図５】
0003201931.tif 000007